(57)【要約】      （修正有）【課題】かご室内に停電灯と蓄光樹脂とを配置し、停電灯と蓄光樹脂とが互いに補完しながら光ることにより、停電時のかご内照度を長時間確保できるようにしたエレベータのかご内停電時照明装置を得る。【解決手段】かご内にバッテリー等の非常電源により点灯する停電灯３を備えたものにおいて、かご室１を構成する部材であるかご操作盤５、天井照明板９、目地１０、手摺、巾木１３、床タイル１４のうちの少なくとも一つを蓄光樹脂製とし、非常電源により点灯する停電灯と、停電灯等の光を受けて発光する蓄光樹脂製のかご室構成部材との組み合わせにより、停電時のかご内照度を確保する。【選択図】図１
2008150124.tif 000002
【特許請求の範囲】
【請求項１】
かご内にバッテリー等の非常電源により点灯する停電灯を備えたエレベータのかご内停電時照明装置において、
かご室を構成する部材であるかご操作盤、天井照明板、目地、手摺、巾木、床タイルのうちの少なくとも一つを蓄光樹脂製とし、上記非常電源により点灯する停電灯と、停電灯等の光を受けて発光する蓄光樹脂製のかご室構成部材との組み合わせにより、停電時のかご内照度を確保することを特徴とするエレベータのかご内停電時照明装置。
【請求項２】
かご内に照度センサーを設け、この照度センサーによりかご内の照度を測定して停電灯をＯＮ／ＯＦＦ制御又は調光制御することを特徴とする請求項１記載のエレベータのかご内停電時照明装置。
【請求項３】
タイマーを設け、このタイマーにより所定時間間隔で停電灯をＯＮ／ＯＦＦ制御することを特徴とする請求項１記載のエレベータのかご内停電時照明装置。
【請求項４】
かご内に停電灯のＯＮ／ＯＦＦスイッチを設けことを特徴とする請求項１記載のエレベータのかご内停電時照明装置。
【請求項５】
かご内に停電灯を点灯させる手動式の発電装置を設けことを特徴とする請求項１記載のエレベータのかご内停電時照明装置。
【請求項６】
かご室を構成する部材である手摺内に停電灯用の予備電池を設けことを特徴とする請求項１記載のエレベータのかご内停電時照明装置。
【発明の詳細な説明】
【技術分野】
【０００１】
この発明は、停電灯と蓄光樹脂（又は蛍光樹脂）との組み合わせにより、停電時のかご内照度を長時間確保できるエレベータのかご内停電時照明装置に関するものである。
【背景技術】
【０００２】
従来のエレベータにおいては、かご室天井に停電灯が配置され、停電時にはバッテリーにより自動点灯していた。
【０００３】
また、他の従来技術として、停電時においてもバッテリー等の非常電源を用いる必要がなく、避難に必要な照度を得ることができ、安全に乗客が避難し得るようにするために、室内照明を備えたエレベータのかご内に、照明消失時に発光する蓄光材を設けたエレベータ装置が提案されている（例えば、特許文献１参照）。
【０００４】
【特許文献１】特開平１０−８７２０２号公報
【発明の開示】
【発明が解決しようとする課題】
【０００５】
従来のエレベータでは、停電時にバッテリーにより点灯するため、長時間の照度確保が難しいという問題があった。
【０００６】
また、他の従来技術のエレベータ装置では、通常の室内照明を備えたエレベータのかご内に、照明消失時に発光する蓄光材を設けたものであり、この蓄光材は、蓄積されたエネルギーを再び光として発することのできる材料であって、短い時間で長時間（数時間から数十時間）の発光が可能であるとしているが、有限のものであり、いずれ長時間が経過すれば、発光は消滅してしまうものであった。
【０００７】
この発明は、上述のような課題を解決するためになされたもので、かご室内に停電灯と蓄光樹脂（又は蛍光樹脂）とを配置し、停電灯と蓄光樹脂とが互いに補完しながら光ることにより、停電時のかご内照度を長時間確保できるようにしたエレベータのかご内停電時照明装置を提供するものである。
【課題を解決するための手段】
【０００８】
この発明に係るエレベータのかご内停電時照明装置においては、かご内にバッテリー等の非常電源により点灯する停電灯を備えたものにおいて、かご室を構成する部材であるかご操作盤、天井照明板、目地、手摺、巾木、床タイルのうちの少なくとも一つを蓄光樹脂製とし、非常電源により点灯する停電灯と、停電灯等の光を受けて発光する蓄光樹脂製のかご室構成部材との組み合わせにより、停電時のかご内照度を確保するものである。
【発明の効果】
【０００９】
この発明によれば、停電灯を点灯させることにより、蓄光樹脂による照明時間を大幅に延長させているので、停電灯と蓄光樹脂とが互いに補完しながら光ることになり、従来の停電灯単独による場合や蓄光樹脂単独による場合に比較して、停電時のかご内照度を長時間確保することができる。
【発明を実施するための最良の形態】
【００１０】
実施の形態１．
図１はこの発明の実施の形態１におけるエレベータのかご内停電時照明装置の全体構成を示す斜視図、図２はこの発明の実施の形態１におけるエレベータのかご内停電時照明装置の天井部の構成を示す断面図、図３はこの発明の実施の形態１におけるエレベータのかご内停電時照明装置の側壁目地部の構成を示す部分断面図、図４はこの発明の実施の形態１におけるエレベータのかご内停電時照明装置の手摺部の構成を示す斜視図、図５はこの発明の実施の形態１におけるエレベータのかご内停電時照明装置のかご操作盤の構成を示す部分正面図、図６はこの発明の実施の形態１におけるエレベータのかご内停電時照明装置の概略構成を示すブロック図、図７はこの発明の実施の形態１におけるエレベータのかご内停電時照明装置の動作を説明するためのフローチャートである。
【００１１】
図１〜図５において、１はエレベータのかご室、２はかご室１の天井部内に設置された蛍光灯等からなる通常照明灯、３はかご室１の天井部内に設置された電球又はＬＥＤ等からなる停電灯、４はかご室１の天井部内に設置された照度センサー、５はかご室１内に設置された蓄光樹脂製のかご操作盤、６はかご操作盤５に設けられた停電灯ＯＮ／ＯＦＦスイッチ、７はかご操作盤５に設けられた照度センサー、８はかご操作盤５に設けられ、停電灯３を点灯させる手動ダイナモ等からなる手動式の発電装置、９はかご室１の天井部に設けられた蓄光樹脂製の天井照明板、１０はかご室１の側壁同士間に設けられた蓄光樹脂製の目地、１１はかご室１の側壁に設けられた蓄光樹脂製の手摺、１２は手摺１１の内部に設置された予備電池で、非常電源のバッテリー切れにより停電灯３が点灯しなくなることを防止する。１３はかご室１の側壁下部に設けられた蓄光樹脂製の巾木、１４はかご室１の床面を構成する蓄光樹脂製の床タイルである。すなわち、かご室１は、かご操作盤５、天井照明板９、目地１０、手摺１１、巾木１３、床タイル１４等のかご室構成部材の全てが蓄光樹脂製で構成されているが、全部ではなく、少なくとも一つであれば良い。
また、図６において、１５はバッテリーからなる停電時の電源部、１６は停電時の制御装置である。停電時の電源部１５及び停電時の制御装置１６は、かご内の照度を照度センサー４、７により測定し、停電灯３をＯＮ／ＯＦＦ制御もしくは照度制御することにより、蓄光樹脂製のかご操作盤５、天井照明板９、目地１０、手摺１１、巾木１３、床タイル１４の照度を持続させるように制御する。これにより、停電灯３及び蓄光樹脂を互いに補完しながら光らせることができるので、停電時のかご内照度を長時間確保することができる。
【００１２】
次に、エレベータのかご内停電時照明装置の動作について、図７に示すフローチャートにより説明する。
先ず、ステップＳ１で停電が発生すると、通常照明灯２がＯＦＦする。次に、ステップＳ２で蓄光樹脂製のかご操作盤５、天井照明板９、目地１０、手摺１１、巾木１３、床タイル１４が発光し、時間の経過と共に、蓄光の光量は減少する。ステップＳ３で停電時のみかご内照度を照度センサー４、７で常時測定監視し、照度が不足する場合は、停電灯３を点灯させる。ステップＳ３で停電灯３を点灯させると、ステップＳ４にて蓄光樹脂製のかご操作盤５、天井照明板９、目地１０、手摺１１、巾木１３、床タイル１４の発光光量が増大する。次に、ステップＳ５でかご内照度が満足する場合は、停電灯３を消灯させる。以後この動作を継続することにより、停電時のかご内照度を長時間確保することが可能となるものである。
【００１３】
この実施の形態１によれば、蓄光樹脂の照度が下がったときのみ、停電灯を点灯させることにより、蓄光樹脂による照明時間を大幅に延長させているので、停電灯と蓄光樹脂とが互いに補完しながら光ることになり、従来の停電灯単独による場合や蓄光樹脂単独による場合に比較して、停電時のかご内照度を長時間確保することができる。
【００１４】
実施の形態２．
図８はこの発明の実施の形態２におけるエレベータのかご内停電時照明装置の概略構成を示すブロック図、図９はこの発明の実施の形態２におけるエレベータのかご内停電時照明装置の動作を説明するためのフローチャートである。
【００１５】
実施の形態１では、停電時の電源部１５及び停電時の制御装置１６は、かご内の照度を照度センサー４、７により測定し、停電灯３をＯＮ／ＯＦＦ制御もしくは照度制御することにより、蓄光樹脂製のかご操作盤５、天井照明板９、目地１０、手摺１１、巾木１３、床タイル１４の照度を持続させるようにしたが、この実施の形態２においては、停電時の電源部１５及び停電時の制御装置１６は、タイマー１７により、所定時間間隔で停電灯３をＯＮ／ＯＦＦ制御もしくは照度制御することにより、蓄光樹脂製のかご操作盤５、天井照明板９、目地１０、手摺１１、巾木１３、床タイル１４の照度を持続させるようにした制御するものである。これにより、停電灯３及び蓄光樹脂を互いに補完しながら光らせることができるので、停電時のかご内照度を長時間確保することができる。
【００１６】
次に、実施の形態２の動作について、図９に示すフローチャートにより説明する。
先ず、ステップＳ１で停電が発生すると、通常照明灯２がＯＦＦする。ステップＳ２で蓄光樹脂製のかご操作盤５、天井照明板９、目地１０、手摺１１、巾木１３、床タイル１４が発光し、時間の経過と共に、蓄光の光量は減少する。次に、ステップＳ１３でタイマー１７などを使用して所定時間後に停電灯３を点灯させる。ステップＳ１３で停電灯３を点灯させると、ステップＳ４にて蓄光樹脂製のかご操作盤５、天井照明板９、目地１０、手摺１１、巾木１３、床タイル１４の発光光量が増大する。次に、ステップＳ１５でタイマー１７などを使用して、更に所定時間後に停電灯３を消灯させる。以後この動作を継続することにより、停電時のかご内照度を長時間確保することが可能となるものである。
【００１７】
実施の形態３．
図１０はこの発明の実施の形態３におけるエレベータのかご内停電時照明装置の概略構成を示すブロック図、図１１はこの発明の実施の形態３におけるエレベータのかご内停電時照明装置の動作を説明するためのフローチャートである。
【００１８】
この実施の形態３においては、停電時のみ、かご内照度を常時監視して、所定の照度になるように停電灯３を調光させる調光装置１８を設けたものである。
【００１９】
次に、実施の形態３の動作について、図１１に示すフローチャートにより説明する。
先ず、ステップＳ１で停電が発生すると、通常照明灯２がＯＦＦする。次に、ステップＳ２２で停電灯が点灯し、蓄光樹脂製のかご操作盤５、天井照明板９、目地１０、手摺１１、巾木１３、床タイル１４が発光する。次に、ステップＳ２３で照度センサー４、７により、停電時のみ、かご内照度を常時監視し、調光装置１８により所定の照度になるように停電灯３を調光させるようにしたものである。
【００２０】
実施の形態４．
図１２はこの発明の実施の形態４におけるエレベータのかご内停電時照明装置の概略構成を示すブロック図である。
【００２１】
実施の形態１では、停電時の電源部１５、停電時の制御装置１６、照度センサー４、７、停電灯３、蓄光樹脂製のかご操作盤５、天井照明板９、目地１０、手摺１１、巾木１３、床タイル１４から構成したが、この実施の形態４においては、停電時の電源部１５、かご操作盤５又は側壁に設けられた停電灯ＯＮ／ＯＦＦスイッチ６、停電灯３、蓄光樹脂製のかご操作盤５、天井照明板９、目地１０、手摺１１、巾木１３、床タイル１４から構成したものである。これにより、停電時に必要に応じて停電灯ＯＮ／ＯＦＦスイッチ６を手動操作して、蓄光樹脂製のかご操作盤５、天井照明板９、目地１０、手摺１１、巾木１３、床タイル１４の発光光量を増大させて、停電時のかご内照度を長時間確保している。
【００２２】
実施の形態５．
図１３はこの発明の実施の形態５におけるエレベータのかご内停電時照明装置の概略構成を示すブロック図である。
【００２３】
この実施の形態４においては、停電時の電源部１５、かご操作盤５又は側壁に設けられ、停電灯を点灯させる手動ダイナモ等からなる手動式の発電装置８、停電灯３、蓄光樹脂製のかご操作盤５、天井照明板９、目地１０、手摺１１、巾木１３、床タイル１４から構成したものである。これにより、停電時に必要に応じて手動ダイナモ８を手動操作して、停電灯３を発光させ、蓄光樹脂製のかご操作盤５、天井照明板９、目地１０、手摺１１、巾木１３、床タイル１４の発光光量を増大させて、停電時のかご内照度を極めて長時間に亘って確保している。
【図面の簡単な説明】
【００２４】
【図１】この発明の実施の形態１におけるエレベータのかご内停電時照明装置の全体構成を示す斜視図である。
【図２】この発明の実施の形態１におけるエレベータのかご内停電時照明装置の天井部の構成を示す断面図である。
【図３】この発明の実施の形態１におけるエレベータのかご内停電時照明装置の側壁目地部の構成を示す部分断面図である。
【図４】この発明の実施の形態１におけるエレベータのかご内停電時照明装置の手摺部の構成を示す斜視図である。
【図５】この発明の実施の形態１におけるエレベータのかご内停電時照明装置のかご操作盤の構成を示す部分正面図である。
【図６】この発明の実施の形態１におけるエレベータのかご内停電時照明装置の概略構成を示すブロック図である。
【図７】この発明の実施の形態１におけるエレベータのかご内停電時照明装置の動作を説明するためのフローチャートである。
【図８】この発明の実施の形態２におけるエレベータのかご内停電時照明装置の概略構成を示すブロック図である。
【図９】この発明の実施の形態２におけるエレベータのかご内停電時照明装置の動作を説明するためのフローチャートである。
【図１０】この発明の実施の形態３におけるエレベータのかご内停電時照明装置の概略構成を示すブロック図である。
【図１１】この発明の実施の形態３におけるエレベータのかご内停電時照明装置の動作を説明するためのフローチャートである。
【図１２】この発明の実施の形態４におけるエレベータのかご内停電時照明装置の概略構成を示すブロック図である。
【図１３】この発明の実施の形態５におけるエレベータのかご内停電時照明装置の概略構成を示すブロック図である。
【符号の説明】
【００２５】
１  エレベータのかご室
２  通常照明灯
３  停電灯
４、７  照度センサー
５  かご操作盤（蓄光樹脂製）
６  停電灯ＯＮ／ＯＦＦスイッチ
８  手動ダイナモ（発電装置）
９  天井照明板（蓄光樹脂製）
１０  目地（蓄光樹脂製）
１１  手摺（蓄光樹脂製）
１２  予備バッテリー
１３  巾木（蓄光樹脂製）
１４  床タイル（蓄光樹脂製）
１５  停電時の電源部（バッテリー）
１６  停電時の制御装置
１７  タイマー
１８  調光装置
【図１】
2008150124.tif 000003
【図２】
2008150124.tif 000004
【図３】
2008150124.tif 000005
【図４】
2008150124.tif 000006
【図５】
2008150124.tif 000007
【図６】
2008150124.tif 000008
【図７】
2008150124.tif 000009
【図８】
2008150124.tif 000010
【図９】
2008150124.tif 000011
【図１０】
2008150124.tif 000012
【図１１】
2008150124.tif 000013
【図１２】
2008150124.tif 000014
【図１３】
2008150124.tif 000015